(57)【特許請求の範囲】
【請求項１】
地面に直埋めされたボールバルブを開閉するために、下端部にその軸方向と直交する向きに設けられた係合ピンを用いてマンホールの蓋を持ち上げて開閉するバルブピット用ハンドルに連結されて使用される直埋めボールバルブ開閉器であって、
前記ボールバルブの開閉軸の先端部に着脱自在に嵌合されて同軸状にかつ軸回りに一体回転するように互いに相対回転不能に連結される開閉軸連結部と、
この開閉軸連結部の上方部に前記開閉軸連結部と一体的に立設されたロッド部と、
このロッド部の上方部に前記ロッド部と一体的に形成され、前記ロッド部の上端部に前記ロッド部の軸方向と直交する方向に延びる上方および両端部が開放された連結溝を有し、この連結溝に、前記バルブピット用ハンドルの前記係合ピンが上方から着脱自在に嵌合されて同軸状にかつ軸回りに一体回転するように連結されるハンドル連結部と、
を備えていることを特徴とする直埋めボールバルブ開閉器。
【発明の詳細な説明】
【０００１】
【発明属する技術分野】
この発明は、地面に直埋めされたボールバルブを開閉するための開閉器に関する。
【０００２】
【発明が解決しようとする課題】
一般に、ガス管や水道管などの流体導管に取り付けられたボールバルブには、地面に直埋めされているものがある。
図５は、このような直埋めボールバルブ１がマンホールＭ内に配置されている状態を示すものである。
【０００３】
この図５において、直埋めボールバルブ１は、マンホールＭ内において開閉軸１Ａの先端部のみが地面から上方に突き出された状態で設置されている。
従来、この直埋めボールバルブ１の開閉は、図６に示されるようなプラグバルブ用開閉器２によって行われている。
【０００４】
このプラグバルブ用開閉器２は、直埋めボールバルブ１の開閉軸１Ａの先端部に連結される連結部２Ａと、この連結部２Ａを軸回りに回転させるハンドル部２Ｂとを有しており、マンホールＭの蓋Ｃが開けられて露出された直埋めボールバルブ１の開閉軸１Ａに連結部２Ａが外嵌されて連結され、ハンドル部２Ｂの回転に伴って開閉軸１Ａを連結部２Ａと一体的に回転させることによって、直埋めボールバルブ１を開閉する。
【０００５】
しかしながら、上記のような直埋めボールバルブ１の開閉を行う従来のプラグバルブ用開閉器２は、連結部２Ａやハンドル部２Ｂ、および、この連結部２Ａとハンドル部２Ｂを連結するロッド部が鉄製であるために、非常に重く、その操作や運搬等の取り扱いが大変であった。
【０００６】
この発明は、上記のような従来の直埋めボールバルブの開閉を行う際の問題点を解決するために為されたものである。
すなわち、この発明は、軽量で取り扱いが容易な直埋めボールバルブ開閉器を提供することを目的とする。
【０００７】
【課題を解決するための手段】
本発明による直埋めボールバルブ開閉器は、上記目的を達成するために、地面に直埋めされたボールバルブを開閉するために、下端部にその軸方向と直交する向きに設けられた係合ピンを用いてマンホールの蓋を持ち上げて開閉するバルブピット用ハンドルに連結されて使用される直埋めボールバルブ開閉器であって、前記ボールバルブの開閉軸の先端部に着脱自在に嵌合されて同軸状にかつ軸回りに一体回転するように互いに相対回転不能に連結される開閉軸連結部と、この開閉軸連結部の上方部に前記開閉軸連結部と一体的に立設されたロッド部と、このロッド部の上方部に前記ロッド部と一体的に形成され、前記ロッド部の上端部に前記ロッド部の軸方向と直交する方向に延びる上方および両端部が開放された連結溝を有し、この連結溝に、前記バルブピット用ハンドルの前記係合ピンが上方から着脱自在に嵌合されて同軸状にかつ軸回りに一体回転するように連結されるハンドル連結部とを備えていることを特徴としている。
【０００８】
本発明による直埋めボールバルブ開閉器は、バルブピット用ハンドルによってマンホールの蓋が開けられて露出された直埋めボールバルブの開閉軸に、開閉軸連結部を連結し、次に、ハンドル連結部の連結溝に、マンホールの蓋の開閉に使用したバルブピット用ハンドルの下端部の係合ピンが上方から嵌合されることによって、バルブピット用ハンドルと同軸状にかつ軸回りに一体回転するように連結する。
この状態で、バルブピット用ハンドルを回転させる。
これにより、バルブピット用ハンドルの係合ピンとハンドル連結部の連結溝が係合して、直埋めボールバルブ開閉器がバルブピット用ハンドルの回転にともなって、その軸回りに一体的に回転される。
【０００９】
そして、このとき、開閉軸連結部と直埋めボールバルブの開閉軸とが、互いに相対回転不能に係合して、開閉軸が直埋めボールバルブ開閉器の回転にともなって軸回りに回転され、直埋めボールバルブの開閉が行われる。
【００１０】
以上のように、本発明によれば、マンホールの蓋の開閉を行うバルブピット用ハンドルを利用して直埋めボールバルブの開閉を行うことが出来るので、従来のように重いプラグバルブ用開閉器を用意する必要がない。
しかも、直埋めボールバルブ開閉器が、直埋めボールバルブの開閉軸に連結される部分とバルブピット用ハンドルに連結される部分とこれらと一体的に形成されたロッド部だけの構成であるので、軽量で取り扱いが容易である。
【００１４】
【発明の実施の形態】
以下、この発明の最も好適と思われる実施形態について、図面を参照しながら説明を行う。
図１は、この発明の実施形態の一例における直埋めボールバルブ開閉器を示している。
【００１５】
この図１の直埋めボールバルブ開閉器１０は、図３に示されるバルブピット用ハンドル１１に連結されて使用されるものである。
バルブピット用ハンドル１１は、従来からマンホールＭの蓋Ｃの開閉に使用されているものであり、ロッド１１Ａの上端部に設けられたハンドルバー１１Ｂと、下端部にロッド１１Ａと直角向きに設けられた係合ピン１１Ｃとから構成されていて、係合ピン１１Ｃが図４に示されるマンホールＭの蓋Ｃの外周部に形成された溝Ｃａに係合されることにより、蓋Ｃを引き上げて開閉するようになっている。
【００１６】
図１において、直埋めボールバルブ開閉器１０は、直埋めボールバルブ１の開閉軸１Ａ（図５参照）に連結される開閉軸連結部１０Ａと、この連結部１０Ａの上面に一体的に立設されたロッド部１０Ｂと、このロッド部１０Ｂの上端部に一体的に形成されたハンドル連結部１０Ｃの各部から構成されている。
【００１７】
開閉軸連結部１０Ａは、下面が開口された中空状の箱形状をしており、その内部に形成された凹部１０Ａａの平面形状が矩形になるように成形されていて、後述するように、連結される直埋めボールバルブ１の開閉軸１Ａの先端部に外嵌された際に、凹部１０Ａａの内壁面が開閉軸１Ａの外壁面に合致するようになっている。
【００１８】
ロッド部１０Ｂは、その下端部が、開閉軸連結部１０Ａの上面に溶接によって直立するように固定されている。
【００１９】
ハンドル連結部１０Ｃは、ロッド部１０Ｂの上端部の両側部から側方に張り出すように一対の張出部１０Ｃａが形成され、この一対の張出部１０Ｃａとロッド部１０Ｂの先端部に、上方および両端部が開放された連結溝１０Ｃｂが、ロッド部１０Ｂの軸方向に対して直角向きに延びるように形成されている。
さらに、この連結溝１０Ｃｂのロッド部１０Ｂ部分の内壁面１０Ｃｂ’は、円弧状に膨らんでいて、後述するように、バルブピット用ハンドル１１のロッド１１Ａの下端部が同軸状に嵌合されるようになっている。
【００２０】
上記直埋めボールバルブ開閉器１０は、以下のようにして使用される。
すなわち、図２に示されるように、バルブピット用ハンドル１１によってマンホールＭの蓋Ｃが開けられて露出された直埋めボールバルブ１の開閉軸１Ａに、直埋めボールバルブ開閉器１０を、開閉軸連結部１０Ａの凹部１０Ａａを上方から外嵌させることによって、同軸状に連結する。
そして、この直埋めボールバルブ開閉器１０のハンドル連結部１０Ｃに、マンホールＭの蓋Ｃの開閉に使用したバルブピット用ハンドル１１を、その下端部の係合ピン１１Ｃを連結溝１０Ｃｂ内に上方から嵌合させることによって、同軸状に連結する。
【００２１】
この状態で、バルブピット用ハンドル１１のハンドルバー１１Ｂ（図３参照）を回転させると、このバルブピット用ハンドル１１の係合ピン１１Ｃがハンドル連結部１０Ｃの張出部１０Ｃａの内壁面に係合することによって、直埋めボールバルブ開閉器１０がバルブピット用ハンドル１１と一体的に軸回りに回転される。
【００２２】
そして、このとき、直埋めボールバルブ開閉器１０の開閉軸連結部１０Ａと開閉軸１Ａとは、凹部１０Ａａの内壁面と開閉軸１Ａの外壁面の形状が合致していて、互いに相対回転不能に連結されていることにより、直埋めボールバルブ開閉器１０の回転にともなって開閉軸１Ａがその軸回りに回転されて、直埋めボールバルブ１の開閉が行われる。
【００２３】
上記のようにして、直埋めボールバルブ１の開閉を終えた後、直埋めボールバルブ開閉器１０からバルブピット用ハンドル１１を取り外し、さらに開閉軸１Ａから直埋めボールバルブ開閉器１０を取り外す。
そして、直埋めボールバルブ開閉器１０から外したバルブピット用ハンドル１１を用いてマンホールＭの蓋Ｃを閉めて、一連の作業を終了する。
【図面の簡単な説明】
【図１】本発明の最良の実施形態における一例を示す斜視図である。
【図２】同例の使用状態を示す正面図である。
【図３】バルブピット用ハンドルを示す正面図である。
【図４】マンホールの蓋の一部を示す斜視図である。
【図５】直埋めボールバルブの設置状態を示す説明図である。
【図６】プラグバルブ用開閉器を示す正面図である。
【符号の説明】
１      …直埋めボールバルブ
１Ａ    …開閉軸
１０    …直埋めボールバルブ開閉器
１０Ａ  …開閉軸連結部
１０Ａａ…凹部
１０Ｂ  …ロッド部
１０Ｃ  …ハンドル連結部
１０Ｃｂ…連結溝
１１    …バルブピット用ハンドル
１１Ａ  …ロッド
１１Ｂ  …ハンドルバー
１１Ｃ  …係合ピン
【図１】
0004412755.tif 000002
【図２】
0004412755.tif 000003
【図３】
0004412755.tif 000004
【図４】
0004412755.tif 000005
【図５】
0004412755.tif 000006
【図６】
0004412755.tif 000007